(57)【要約】【課題】場所の広狭にかかわらず、容易に敷設し、取り外して再使用することができるユニット式人工芝を提供する。【解決手段】パイル１２と、該パイルが植設される基材１４と、前記基材が載置される基盤１６とを有し、前記パイルが植設された前記基材１４と前記基盤１８の間に基材１４と基盤１８を接合する接着剤の層である接着剤層１８が形成されている。好適には、縁部に他のユニット式人工芝を連結する連結部を備え、該連結部が複数の突片と該突片間に前記突片を嵌入しうる形状に形成された湾入部を有する。【選択図】図１
0003177558.tif 000002
【実用新案登録請求の範囲】
【請求項１】
パイル（１２）と、該パイルが植設される基材（１４）と、前記基材が載置される基盤（１６）とを有し、前記パイルが植設された前記基材が前記基盤に接着剤で固着されることを特徴とするユニット式人工芝。
【請求項２】
前記基盤が発砲スチロール、発砲ポリエチレン、発砲ポリプロピリン又はウレタン樹脂製であることを特徴とする請求項１記載のユニット式人工芝。
【請求項３】
平面視略矩形形状であることを特徴とする請求項１又は２記載のユニット式人工芝。
【請求項４】
平面視略正方形であり、１辺の長さが２００ｍｍ以上、２．０ｍ以下であることを特徴とする請求項３記載のユニット式人工芝。
【請求項５】
縁部に他のユニット式人工芝を連結する連結部を備え、該連結部が複数の突片と該突片間に前記突片を嵌入しうる形状に形成された湾入部を有することを特徴とする請求項１ないし４のいずれか１項記載のユニット式人工芝。
【考案の詳細な説明】
【技術分野】
【０００１】
本考案は、ユニット式人工芝に関し、より詳細には、敷設エリアの広狭にかかわらず容易に敷設したり取り外したりすることができるユニット式人工芝に関する。
【背景技術】
【０００２】
従来、シート状基板上に多数の芝部材を植設し、芝部材間にゴムチップを層状に充填し、このゴムチップ層の上に芝部材の先端が露出するよう砂を層状に設けた草丈の長い人工芝がある。この人工芝は、例えば野球場やサッカー場のような大面積の場所で使用されるものであり、これらの場所に人工芝を敷設するのに、幅が例えば４．０ｍ、長さ１０ｍから４０ｍというロール状のシート状基板を展開して、ゴムチップ入れ、砂入れを行っている（特許文献１参照）。
【０００３】
また、多数の芝部材が板状部材の上面に植設され、芝部材の上部を露出した状態で板状部材の上面にクッション機能を有する材料を充填してある人工芝において、板状部材を載置する底板と、材料が前記板状部材の上面からこぼれ落ちるのを防止するよう底板の外周縁に設けられた枠体とを備えたユニット式人工芝が開発されている（特許文献２参照）。
【先行技術文献】
【特許文献】
【０００４】
【特許文献１】実開平７−４５０４号公報
【特許文献２】特開２００５−１４６６１７号公報
【考案の概要】
【考案が解決しようとする課題】
【０００５】
しかしながら、上記特許文献１では、狭い場所に敷設することができなかった。一端、広い場所に敷設してしまうと、該敷設場所から人工芝を外そうとすると、どうしても人工芝が崩れてしまうので、再使用できないという課題があった。
【０００６】
また、上記特許文献２では、多数の芝部材が板状部材に植設されたユニット式人工芝において、板状部材を載置する底板と、板状部材の外周縁に設けられた枠体を備えるので、遊具の下やビルの屋上など小面積の場所に敷設できるというメリットがある。しかし、広い場所に敷設するには多くの労力を必要とする。
【０００７】
さらに、複数のユニット式人工芝を敷設場所に並べた後各枠体を撤去する構成であるので、該敷設場所から人工芝を外そうとすると、上記特許文献１同様、人工芝が崩れてしまう。このため、敷設場所から取り外して、時間又は場所を違えてユニット式人工芝を再使用するのが困難であるという課題があった。
【０００８】
本考案は、上記従来の課題を解決するものであり、敷設場所の広狭にかかわらず、容易に敷設することができ、また、一度敷設した場所から取り外して、時間又は場所を違えて再使用することができるユニット式人工芝を提供することを目的とする。
【課題を解決するための手段】
【０００９】
上記目的を達成するため、本考案は、パイル（１２）と、該パイルが植設される基材（１４）と、前記基材が載置される基盤（１６）とを有し、前記パイルが植設された前記基材が前記基盤に接着剤で固着されることを特徴とするユニット式人工芝（１０）を提供する。
本考案に係るユニット式人工芝によれば、パイルが植設された基材が基盤に載置され、接着剤で固着されているので、場所の広狭にかかわらず、容易に敷設することができる。また、本考案に係るユニット式人工芝は、一旦敷き詰めたもの取り外して保管すれば、時と場所を違えて再使用することができる。
【００１０】
好ましい態様では、前記基盤が発砲スチロール、発砲ポリエチレン、発砲ポリプロピリン又はウレタン樹脂製であることを特徴とする。このような構成によれば弾力性に富み、軽量なユニット式人工芝とすることができる。
【００１１】
上記態様では、平面視略矩形形状であることが好ましい。このような構成によれば、敷設する場所に美観よく、かつ容易に敷設することができる。また、容易に取り外して保管することができる。
上記態様では、平面視略正方形であり、その１辺の長さが２００ｍｍ以上、２．０ｍ以下であることが更に好ましい。このような構成によれば、人手で簡単に持ち運びでき、より容易に敷設し、取り外すことができる。また、使用者は、敷設する場所の大きさに合った大きさのユニット式人工芝を選択することができる。
【００１２】
また、上記態様では、縁部に他のユニット式人工芝を連結する連結部を備え、該連結部が複数の突片と該突片間に前記突片を嵌入しうる形状に形成された湾入部を有するのがより好ましい。このような構成によれば、ユニット式人工芝同士を連結部で連結することができるので、敷設されたユニット式人工芝の上で子供が遊んだり、各種のスポーツなどをしても、簡単に外れることがなく、美観及び安全性がより向上する。
【考案の効果】
【００１３】
以上のように、本考案によれば、場所の広狭にかかわらず、容易に敷設することができ、また、取り外して再使用することができるユニット式人工芝を提供することができる。
【図面の簡単な説明】
【００１４】
【図１】実施例１に係るユニット式人工芝１０の拡大部分断面図である。
【図２】図１のＡ−Ａ矢視端面図である。
【図３】実施例２に係るユニット式人工芝２０を示す平面図である。
【図４】ユニット式人工芝２０を複数敷設したときの状態を示す平面図である。
【考案を実施するための形態】
【００１５】
以下、図に示す実施例により本発明をさらに詳細に説明する。なお、これにより本発明が限定されるものではない。
【実施例】
【００１６】
−実施例１−
図１は、実施例１に係るユニット式人工芝１０の拡大部分断面図を示し、図２は図１のＡ−Ａ矢視端面図である。図１に示すように、ユニット式人工芝１０は、芝の色（緑色）に着色されたパイル１２を植設した基材１４が基盤１６の上に載置され、基材１４と基盤１６の間に形成された接着剤層１８によって接合されている。
【００１７】
本実施例では、パイル１２と基材１４はポリプロビレン樹脂素材である。パイル１２の立毛部１２ａはカットパイル状であり、その長さは１０ｍｍないし２０ｍｍである。図２に示すように、パイル１２は、基材１４に一直線上に、一定の間隔で平行にタフティングされている。
【００１８】
基盤１６はウレタン素材である。その厚さは１０ｍｍであり、クッション機能を有する。基盤１６の厚さは強度やクッション性の観点から種々の選択ができる。上記のように基材１４と基盤１６は接着剤で接合され、接着剤の層（接着剤層）１８が形成されている。
本実施例のユニット式人工芝１０は平面視正方形であり、その１辺の長さは約３５０ｍｍである。
【００１９】
本実施例に係るユニット式人工芝１０は、所定の厚みと強度を有するウレタン素材の基盤１６に、ポリプロビレン樹脂素材のパイル１２が植設された、同じくポリプロビレン樹脂素材の基材１４が接着剤で固着されているので強度に富み、かつ軽量である。このため、例えば、野球用、バレーボール用、バドミントン用、ドッヂボール用、ゲートボール用、サッカー用、テニス用など各種のスポーツグランドなどの広い場所の他、子供が遊ぶ遊具の下や一般家庭の部屋の中などの狭い場所においても容易に敷設して使用できる。更に、例えば、短期的な催し会場で使用した場合には、取り外して回収し、保管することによって再使用することができる。
【００２０】
［製造方法］
以下、ユニット式人工芝１０の製造方法について説明する。
まず、公知のニッティングマシン（図示せず）を使用して、基材シート（図示せず）にパイル１２を一直線上に植設する。立毛部１２ａはカットパイル状であり、長さは２０ｍｍとする。シートの端まで植設されたら、９.５ｍｍ間隔で先に植設されたパイル１２に平行に植設する。このことを繰り返して基材１４のシート全面にパイル１２を植設する。
【００２１】
次に、パイル１２が植設された基材シートの裏側（パイル１２が立毛していない面）全体に接着剤を塗り、基材シートと同じ広さであって、厚さ１０ｍｍのウレタンシート上に載置し、上部からやや圧力を加えて、接着剤が乾燥するまで放置する。
接着剤が乾燥し、基材シートがウレタンシートに固着したなら、裁断機にて所定の大きさ（本実施例では、１辺の長さ３５０ｍｍの平面視正方形）に裁断することによってユニット式人工芝１０が製造される。
【００２２】
−実施例２−
図３は、実施例２に係るユニット式人工芝２０を示す平面図である。本実施例では、実施例１のユニット式人工芝１０と同一部材については、同一の番号を付し重複する説明は省略する。
【００２３】
図３に示すように、ユニット式人工芝２０には、その縁部に他のユニット式人工芝（図示せず）を連結する連結部２２を備え、連結部２２が複数の突片２４，２４と該突片間に突片２４，２４を嵌入しうる形状に形成された湾入部２６，２６が形成されている。
また、ユニット式人工芝２０の４つの角部には、突片２４及び湾入部２６とは形状が異なる突片２４ａ及び突片２４ａを嵌入しうる形状に形成された湾入部２６ａがそれぞれ形成され、突片２４ａ及び湾入部２６ａも連結部を構成している。このことによって、多数のユニット式人工芝２０を一面に敷設したとき、空隙が生じることなく、全面に美しく敷設することができる。
【００２４】
その他の構成は、ユニット式人工芝１０と同じであるが、本実施例では、ユニット式人工芝２０は、平面略視正方形であり、その１辺の長さは約９００ｍｍである。
図４は、ユニット式人工芝２０を４つ敷設したときの状態を示す平面図である。図４に示すように、４つのユニット式人工芝２０は、互いの連結部分にて隙間なく連結されており、４つのユニット式人工芝２０が連結される中央部においても隙間なく連結されている。
【００２５】
本実施例に係るユニット式人工芝２０は、縁部に連結部２２を備え、互いに連結して敷設することができるので、例えば、スポーツグランドや子供が遊ぶ場所などに使用して、その上で激しい運動をしても、容易に外れることがないという効果を発揮できる。
また、ユニット式人工芝２０同士が単に連結部分２２で連結しているだけであり、接着剤などで固着されていないので、例えば短期的な催しが終了するなどの理由によって人工芝が必要なくなった場合、人工芝の形を崩すことなく取り外して回収することができる。更に、取り外したユニット式人工芝２０を保管するなどしておけば、再度使用することができるので省資源となる。
【００２６】
以上、本発明の一実施例について説明したが、本発明は上記実施例に限定されるものではなく、その趣旨を逸脱しない限りにおいて種々の変更が可能である。例えば、基盤の素材は、ウレタン樹脂のみならず、発砲スチロール、発砲ポリエチレン、発砲ポリプロピリンについても同様に適用することができ、パイルの素材としては、ポリプロビレン樹脂のみならず、ポリアミド系樹脂、ポリエステル系樹脂及びポリオレフィン系樹脂についても使用できる。
【産業上の利用可能性】
【００２７】
本考案に係るユニット式人工芝は、屋外、屋内を問わず、各種スポーツを行うのに適した人工芝として、また、学校、幼稚園、ビル、家屋、公共の広場等の各種の体育施設や遊戯施設などにも利用可能である。さらに、上記各種施設に一旦敷設したユニット式人工芝は、その形状を損なうことなく容易に取り外し、再使用できるので、レンタル商品として有用である。
【符号の説明】
【００２８】
１０，２０  ユニット式人工芝
１２，２２  パイル
１４，２４  基材
１６，２６  基盤
１８        接着剤層
２４，２４ａ  突片
２６，２６ａ  湾入部
【図１】
0003177558.tif 000003
【図２】
0003177558.tif 000004
【図３】
0003177558.tif 000005
【図４】
0003177558.tif 000006